(57)【要約】【課題】電子基板及び端子台を設けるための平面的なスペース及び、部品コストの低減を図ることができる取付部材及びこれを備えた空気調和機を提供すること。【解決手段】電子基板１０を保持した状態で対象機器に取付可能な取付具１１と、この取付具１１に保持されている電子基板１０の表面の少なくとも一部を覆うように当該取付具１１に設けられた被覆板１２とを備え、この被覆板１２には、電子基板１０とは反対側の面に端子台１５が装着されるとともに、電子基板１０と端子台１５との間で接続される配線１７を挿通可能に貫通する貫通孔２０が形成されている。【選択図】図１
2008261574.tif 000002
【特許請求の範囲】
【請求項１】
空気調和機の室内機又は室外機である対象機器に設けられた電装品に電気的に接続される電子基板と、この電子基板に配線を介して電気的に接続される端子台とを有し、これら電子基板と端子台とを前記対象機器に取り付けるための部材であって、
前記電子基板を保持した状態で前記対象機器に取付可能な取付具と、
この取付具に保持されている電子基板の表面の少なくとも一部を覆うように当該取付具に設けられた被覆板とを備え、
この被覆板には、前記電子基板とは反対側の面に前記端子台が装着されるとともに、前記電子基板と端子台との間で接続される前記配線を挿通可能に貫通する貫通孔が形成されていることを特徴とする取付部材。
【請求項２】
前記被覆板には、その表裏の面と前記貫通孔の内側面との境界部分に丸みを持たせるための加工が施されていることを特徴とする請求項１に記載の取付部材。
【請求項３】
前記被覆板は、前記電子基板から絶縁された金属部材であることを特徴とする請求項１又は２に記載の取付部材。
【請求項４】
前記端子台には、端子が接続される複数の接続部が特定の方向に沿って並んで設けられ、前記貫通孔は、前記特定の方向に沿って横長に形成されていることを特徴とする請求項１〜３の何れか１項に記載の取付部材。
【請求項５】
前記貫通孔の横幅寸法は、前記特定の方向における端子台の幅寸法に対応して設定されていることを特徴とする請求項４に記載の取付部材。
【請求項６】
前記取付具は、前記電子基板の裏面に沿うように配置されるベースを有し、前記被覆板は、前記ベースに対し傾斜した姿勢で連結されていることを特徴とする請求項１〜５の何れか１項に記載の取付部材。
【請求項７】
前記電子基板に電気的に接続され、使用者の操作を受けて前記電装品に対して電気的な指令を出力することが可能な操作部をさらに備え、この操作部は、前記被覆板の表面に設けられていることを特徴とする請求項１〜６の何れか１項に記載の取付部材。
【請求項８】
室外機及び室内機を有し、これら室外機、室内機のうち少なくとも一方が、請求項１〜７の何れか１項に記載の取付部材と、この取付部材により取り付けられた電子基板を介して制御される電装品とを有することを特徴とする空気調和機。
【発明の詳細な説明】
【技術分野】
【０００１】
本発明は、電子基板及び端子台が取り付けられた空気調和機の室内機又は室外機に関するものである。
【背景技術】
【０００２】
従来から、空気調和機の室内機又は室外機には、当該室内機又は室外機に設けられた電装品に電気的に接続される電子基板が内蔵されている（例えば、特許文献１）。ここで、電装品とは、例えば、室外機にあっては送風ファン制御用のインバータや圧縮機、室内機にあっては送風ファン又はフラップの制御用の電装品が挙げられる。
【０００３】
また、特許文献２には、電子基板に加えて、外部から引き込まれた配線を接続するための端子台を設けた室内機が開示されている。前記端子台は、室内機の内部で電子基板の側方（下方）に設けられている。
【特許文献１】特開２００５−９０７７３号公報
【特許文献２】特開２００５−６９６３８号公報
【発明の開示】
【発明が解決しようとする課題】
【０００４】
しかしながら、特許文献２のように電子基板の側方に端子台を設けた場合、電子基板及び端子台を設けるために、電子基板の表面積（敷設に要する面積）と端子台の表面積とを加えた平面的に広いスペースが必要だった。
【０００５】
また、電子基板と端子台とを電気的に接続する場合には、これら電子基板と端子台との間の距離に応じた長さの配線が必要となるため、前記平面的なスペースが広くなるほど長い配線が必要となり、その分部品コストが増大するという問題もある。
【０００６】
本発明は、上記課題に鑑みてなされたものであり、電子基板及び端子台を設けるための平面的なスペース及び、部品コストの低減を図ることができる取付部材及びこれを備えた空気調和機を提供することを目的としている。
【課題を解決するための手段】
【０００７】
上記課題を解決するために、本発明は、空気調和機の室内機又は室外機である対象機器に設けられた電装品に電気的に接続される電子基板と、この電子基板に配線を介して電気的に接続される端子台とを有し、これら電子基板と端子台とを前記対象機器に取り付けるための部材であって、前記電子基板を保持した状態で前記対象機器に取付可能な取付具と、この取付具に保持されている電子基板の表面の少なくとも一部を覆うように当該取付具に設けられた被覆板とを備え、この被覆板には、前記電子基板とは反対側の面に前記端子台が装着されるとともに、前記電子基板と端子台との間で接続される前記配線を挿通可能に貫通する貫通孔が形成されていることを特徴とする取付部材を提供する。
【０００８】
本発明によれば、電子基板を覆うように配置された被覆板に端子台を装着する構成を採用しているので、電子基板と端子台とを重ねるようにして対象機器に取り付けることができる。したがって、従来のように電子基板と端子台とを平面的にレイアウトする場合と異なり、本発明では三次元的にレイアウトすることにより、電子基板と端子台とを配設するための平面的なスペースを低減することができる。
【０００９】
さらに、本発明では、電子基板に対し端子台を重ねるように装着するための被覆板に、これら電子基板と端子台との間に接続される配線を挿通するための貫通孔を設けているので、被覆板の周縁部を跨ぐように配線を迂回させる場合と比較して、配索経路を短縮することができる。したがって、本発明によれば、配線の必要長さを短くすることにより、部品コストを低減することができる。
【００１０】
前記取付部材において、前記被覆板には、その表裏の面と前記貫通孔の内側面との境界部分に丸みを持たせるための加工が施されていることが好ましい。
【００１１】
このようにすれば、貫通孔に挿通された配線が当該貫通孔の内側面に対し摺動した場合であっても、当該配線の損傷を抑制することができる。
【００１２】
前記取付部材において、前記被覆板は、前記電子基板から絶縁された金属部材であることが好ましい。
【００１３】
このようにすれば、端子台又は電子基板のアースを被覆板からとることができる。
【００１４】
前記取付部材において、前記端子台には、端子が接続される複数の接続部が特定の方向に沿って並んで設けられ、前記貫通孔は、前記特定の方向に沿って横長に形成されていることが好ましい。
【００１５】
このようにすれば、貫通孔の開口面積を必要以上に大きくすることなく、各接続部にそれぞれ接続された複数の配線を電子基板へ導くことができる。
【００１６】
特に、前記貫通孔の横幅寸法を、前記特定の方向における端子台の幅寸法に対応して設定することにより、貫通孔の長手寸法も必要最小限に抑えることができる。
【００１７】
前記取付部材において、前記取付具は、前記電子基板の裏面に沿うように配置されるベースを有し、前記被覆板は、前記ベースに対し傾斜した姿勢で連結されていることが好ましい。
【００１８】
このようにすれば、電子基板の裏面に沿うように配置されたベースによって電子基板を曲げ方向に補強することができるだけでなく、このベースに傾斜して連結された被覆板によって当該ベースを曲げ方向に補強することも可能となるため、これらベース及び被覆板によって電子基板に生じる曲げ応力を低減させることができる。
【００１９】
前記取付部材において、前記電子基板に電気的に接続され、使用者の操作を受けて前記電装品に対して電気的な指令を出力することが可能な操作部をさらに備え、この操作部は、前記被覆板の表面に設けられていることが好ましい。
【００２０】
このようにすれば、電装品を操作するための操作部が被覆板の表面に設けられているので、操作部を電子基板よりも手前側（表面側）の位置に配置することが可能となる。したがって、電子基板と被覆板との間の距離を調整することによって、電子基板の取付位置にかかわらず使用者の操作し易い位置に操作部を配置することが可能となる。特に、前記のように被覆板を電子基板に沿って配置されるベースに対し傾斜させた場合には、電子基板の向きにかかわらず被覆板の傾斜角度を調整することによって、使用者の操作し易い角度に操作部の向きを調整することができる。
【００２１】
さらに、本発明は、室外機及び室内機を有し、これら室外機、室内機のうち少なくとも一方が、前記取付部材と、この取付部材により取り付けられた電子基板を介して制御される電装品とを有することを特徴とする空気調和機を提供する。
【発明の効果】
【００２２】
本発明によれば、電子基板及び端子台を設けるための平面的なスペースを低減するとともに、部品コストの低減を図ることができる。
【発明を実施するための最良の形態】
【００２３】
以下、本発明の好ましい実施形態について図面を参照して説明する。
【００２４】
図６は、本発明の実施形態に係る室外機の全体構成を示す平面概略図である。図７は、図６の隔壁についてのVII矢指図である。
【００２５】
本実施形態に係る空気調和機は、図６及び図７に示す室外機１と、この室外機１に接続された室内機（図示せず）とを備えている。
【００２６】
室外機１は、略直方体の箱状に形成されたケーシング２と、このケーシング２内に収容された圧縮機３、ファン４及び熱交換器５とを備えている。
【００２７】
ケーシング２は、前記圧縮機３、ファン４及び熱交換器５が載置されるベース部材６と、このベース部材６の周縁部に立設されたケーシング側板７と、このケーシング側板７内に設けられた隔壁８と、この隔壁８に電子基板を取り付けるための取付部材９（図１参照）と、前記ケーシング側板７の上部開口を塞ぐ図外の天板とを備えている。
【００２８】
隔壁８は、平面視略長方形のケーシング側板７内の室を、その長手方向に第一収容室Ｓ１と第二収容室Ｓ２とに区画するように、当該ケーシング側板７の相対向する側面同士を連結している。第一収容室Ｓ１には前記圧縮機３が収容されている一方、第二収容室Ｓ２にはファン４及び熱交換器５が収容されている。
【００２９】
また、隔壁８には、図７に示すように、前記第一収容室Ｓ１と第二収容室Ｓ２とを連通させるように、その厚み方向に貫通する窓部８ａが形成されている。そして、この隔壁８には、前記窓部８ａを塞ぐように取付部材９が取り付けられている。
【００３０】
図１は、図６の室外機に取り付けられる取付部材９の全体構成を示す斜視図である。図２は、図１の取付部材９の平面図である。図３及び図４は、図１の取付部材９の側面図である。
【００３１】
図１〜図４を参照して、取付部材９は、前記圧縮機３やファン４等の電装品に接続される電子基板１０を有し、この電子基板１０は、後述する端子台１５を介して室内機に電気的に接続されるようになっている。
【００３２】
具体的に、取付部材９は、所定の配線パターンを表面に有する電子基板１０と、この電子基板１０を保持するとともに前記隔壁８に取付可能な取付具１１と、この取付具１１に設けられた被覆板１２と、これら取付具１１と被覆板１２とを連結する連結板１４と、前記被覆板１２上に設けられた端子台１５及び操作基板１６と、前記電子基板１０と端子台１５との間及び端子台１５と室内機との間に接続される配線１７（図３参照）とを備えている。
【００３３】
取付具１１は、前記電子基板１０を保持する樹脂ケース１８と、この樹脂ケース１８が装着された状態で前記隔壁８に取付可能なベース１９とを備えている。樹脂ケース１８は、電子基板１０に対応する表面積とされた底部を有する有底容器状の合成樹脂部材である。この樹脂ケース１８は、その底部に敷設された電子基板１０を、複数のボルトＢ１によって固定するための複数のねじ穴（図示せず）を有している。一方、ベース１９は、複数の金属板を組み合わせて構成された中空の部材である。このベース１９は、樹脂ケース１８の底部の裏面（電子基板１０とは反対側の面）に沿って、当該樹脂ケース１８に固定されている。具体的に、ベース１９は、前記電子基板１０及び樹脂ケース１８を貫通したボルトＢ１を螺合するためのねじ穴や、樹脂ケース１８のみを貫通するボルトＢ２を螺合するためのねじ穴を有している（それぞれ図示せず）。なお、電子基板１０の固定に際しては、電子基板１０とベース１９との間で電気的な絶縁状態が確保されるような手段（例えば、ボルトＢ１と電子基板１０との接触部分に合成樹脂性のワッシャを挟む等の手段）が講じられている。このように構成された取付具１１によって、電子基板１０は、その表面が開放された状態で保持されることになる。
【００３４】
また、前記ベース１９の両側縁部には、図３及び図４に詳しく示すように、それぞれ裏側へ延びるとともに下方へ屈曲する鉤状のフック１９ａ及びフック１９ｂが形成されている。これらフック１９ａ、１９ｂを前記隔壁８に形成された一対のスリット８ｂ及びスリット８ｃ（図７参照）に対しそれぞれ表側から挿入した状態で、ベース１９を下方にスライドさせることにより、当該ベース１９を手前側（表側）へ抜け止めした状態で隔壁８に取り付けることができる。
【００３５】
さらに、前記ベース１９の一方の側部（図２の左側部分）には、後述する被覆板１２を固定するためのブラケット１９ｃが形成されている。このブラケット１９ｃには、上下一対のボルトＢ３（図３参照）をそれぞれ挿通可能な孔（図示せず）が設けられている。
【００３６】
被覆板１２は、基部１２ａと、この基部１２ａから略直角に折り返された屈曲部１２ｂとを一体に有する金属板である。基部１２ａは、前記一対のボルトＢ３を螺合するためのねじ穴（図示せず）を有し、これらねじ穴に対する各ボルトＢ３の締結によって前記ブラケット１９ｃに固定される。このように基部１２ａが固定された状態において、前記屈曲部１２ｂは傾斜した姿勢となる。つまり、屈曲部１２ｂは、基部１２ａから遠ざかるに従い電子基板１０の表面からも離間する姿勢でベース１９に固定されている。そして、屈曲部１２ｂは、電子基板１０の表面と直交する視線Ｙ１（図１参照）において、当該電子基板１０の表面の少なくとも一部を被覆している。
【００３７】
なお、本実施形態では、屈曲部１２ｂが電子基板１０に対して傾斜した姿勢で当該電子基板１０を被覆する構成について説明しているが、屈曲部１２ｂを電子基板１０の表面と平行するように配置してもよい。ただし、屈曲部１２ｂの傾斜角度にかかわらず、前記視線Ｙ１において電子基板１０の表面の少なくとも一部を被覆するように屈曲部１２ｂを配置する必要がある。
【００３８】
また、被覆板１２には、後述する端子台１５の幅寸法Ｄ１（図１参照）と略同一の幅寸法を有する横長形状とされた貫通孔２０が形成されている。この貫通孔２０は、図５に示すように、被覆板１２に形成された小孔の縁部を電子基板１０側に折り返す加工を経て形成されている。したがって、被覆板１２の表裏の面と貫通孔２０の内側面との境界部分には、丸み部２０ａが形成されることになる。また、貫通孔２０は、後述する端子台１５に接続される複数本の配線１７ａを挿通した状態で、当該各配線１７ａを上下左右に取り回す（移動させる）ことができる程度の充分な広さの開口面積を有している。そのため、端子台１５と電子基板１０との間に配線１７ａを接続した後の状態において、他の構成部品との関係で各配線１７ａを移動させることが必要になったときでも、各配線１７ａを端子台１５又は電子基板１０から取り外すことなく移動させることが可能となる。
【００３９】
再び図１〜図４を参照して、端子台１５は、貫通孔２０に近接する下部の位置に配置され、当該被覆板１２の表面に対しボルトＢ４により装着されている。より具体的に、端子台１５は、前記被覆板１２のうち視線Ｙ１（図１参照）において電子基板１０の表面を被覆する範囲の少なくとも一部とオーバーラップする位置に装着されている。これにより、電子基板１０と端子台１５とを重ねるようにレイアウトすることができるので、これら電子基板１０と端子台１５とを上下に並べて平面的にレイアウトする場合と比較して、レイアウトに要する面積の低減を図ることができる。
【００４０】
また、端子台１５には、幅方向に並ぶ３つの接続端子２１が設けられている。これら接続端子２１は導電性を有する金属板からなり、各接続端子２１の上下の両端部に前記配線１７の端末（端子）を接続できるようになっている。具体的に、前記接続端子２１の上端部には前記電子基板１０に接続される配線１７ａが接続される一方、接続端子２１の下端部には室内機に接続される配線１７ｂが接続される（図３参照）。そして、前記各配線１７ａはそれぞれ貫通孔２０を通って電子基板１０と端子台１５との間に接続されている。このように配線１７ａを貫通孔２０を通して電子基板１０に接続するようにしているので、電子基板１０の縁部を迂回するようにして配線１７ａを配索する場合と比較して、配線１７ａを短くすることができる。
【００４１】
なお、図１〜図４に示す実施形態では、接続端子２１が３つ形成された端子台について説明しているが、接続部を設ける数量は特に限定されない。また、本実施形態では、被覆板１２の貫通孔２０の幅寸法（開口寸法）を端子台１５の幅寸法Ｄ１と略同一に設定しているが、貫通孔２０の幅寸法が、少なくとも前記３つの接続端子２１の幅寸法Ｄ２と略同一に設定されていれば、これら接続端子２１に接続された配線１７を交差させることなく貫通孔を通すことが可能となる。
【００４２】
連結板１４は、取付具１１と被覆板１２とに跨るように両者を連結することにより、取付具１１に対する被覆板１２の傾斜角度が変動してしまうことを抑制するようになっている。この連結板１４には、貫通孔２４ａを有するブラケット２４が設けられている。この貫通孔２４ａを通したボルト（図示せず）を、前記隔壁８に形成された雌ねじ部８ｄ（図５参照）に螺合することにより、取付部材９の全体が隔壁８に固定されることになる。
【００４３】
操作基板１６は、前記被覆板１２の表面において貫通孔２０の上部に設けられ、図外の配線によって前記電子基板１０に電気的に接続されている。この操作基板１６には複数のＬＥＤ２２及びスイッチ（操作部）２３が実装され、前記ＬＥＤ２２によって室外機１の運転状態を使用者へ報知することが可能となっている。また、前記スイッチ２３は、使用者の押圧操作を受けて前記圧縮機３やファン４等の電装品に対して電気的な指令を出力することが可能となっている。
【００４４】
以上説明したように、前記実施形態によれば、電子基板１０を覆うように配置された被覆板１２に端子台１５を装着する構成を採用しているので、電子基板１０と端子台１５とを重ねるようにして室外機１（隔壁８）に取り付けることができる。したがって、従来のように電子基板１０と端子台１５とを平面的にレイアウトする場合と異なり、前記実施形態では三次元的にレイアウトすることにより、電子基板１０と端子台１５とを配設するための平面的なスペースを低減することができる。
【００４５】
さらに、前記実施形態では、電子基板１０に対し端子台１５を重ねるように装着するための被覆板１２に、これら電子基板１０と端子台１５との間に接続される配線１７ａを挿通するための貫通孔２０を設けているので、被覆板１２の周縁部を跨ぐように配線１７ａを迂回させる場合と比較して、配索経路を短縮することができる。したがって、前記実施形態によれば、配線１７ａの必要長さを短くすることにより、部品コストを低減することができる。
【００４６】
図５に示すように、前記被覆板１２の表裏の面と貫通孔２０の内側面との境界部分に丸み部２０ａを有する前記実施形態によれば、貫通孔２０に挿通された配線１７ａが当該貫通孔２０の内側面に対し摺動した場合であっても、当該配線１７ａの損傷を抑制することができる。
【００４７】
前記実施形態のように、被覆板１２を電子基板１０から絶縁された金属部材とした構成とすれば、端子台１５又は電子基板１０のアースを被覆板１２からとることができる。
【００４８】
前記実施形態のように、前記貫通孔２０を端子台１５の幅方向に沿って横長とした構成によれば、貫通孔２０の開口面積を必要以上に大きくすることなく、各接続端子２１にそれぞれ接続された複数の配線１７ａを電子基板１０へ導くことができる。
【００４９】
特に、前記貫通孔２０の幅寸法を、端子台１５の幅寸法Ｄ１に対応して設定することにより、貫通孔２０の長手寸法も必要最小限に抑えることができる。
【００５０】
前記実施形態のように、ベース１９に対し被覆板１２を傾斜した姿勢で連結した構成とすれば、電子基板１０の裏面に沿うように配置されたベース１９によって電子基板１０を曲げ方向に補強することができるだけでなく、このベース１９に傾斜して連結された被覆板１２によって当該ベース１９を曲げ方向に補強することも可能となるため、これらベース１９及び被覆板１２によって電子基板１０に生じる曲げ応力を低減させることができる。
【００５１】
前記実施形態のように、被覆板１２の表面に設けられたスイッチ２３を備えた構成によれば、圧縮機３やファン４等の電装品を操作するためのスイッチ２３が被覆板１２の表面に設けられているので、スイッチ２３を電子基板１０よりも手前側（表面側）の位置に配置することが可能となる。したがって、電子基板１０と被覆板１２との間の距離を調整することによって、電子基板１０の取付位置にかかわらず使用者の操作し易い位置にスイッチ２３を配置することが可能となる。特に、被覆板１２を電子基板１０に沿って配置されるベース１９に対し傾斜させた場合には、電子基板１０の向きにかかわらず被覆板１２の傾斜角度を調整することによって、使用者の操作し易い角度にスイッチ２３の向きを調整することができる。
【００５２】
なお、本実施形態では、室外機１に取り付けられた取付部材９について説明したが、室内機に電子基板及び端子台を取り付ける場合にも取付部材９を採用可能である。
【図面の簡単な説明】
【００５３】
【図１】本発明の実施形態に係る取付部材の全体構成を示す斜視図である。
【図２】図１の取付部材の平面図である。
【図３】図１の取付部材の側面図である。
【図４】図１の取付部材の側面図であり、図３とは反対側の側方から見た図である。
【図５】被覆板に形成された貫通孔を拡大して示す部分断面図である。
【図６】本発明の実施形態に係る室内機を示す平面一部略図である。
【図７】図６の隔壁を示すVII矢視図である。
【符号の説明】
【００５４】
１    室外機（対象機器）
３    圧縮機（電装品）
４    ファン（電装品）
８    隔壁
９    取付部材
１０    電子基板
１１    取付具
１２    被覆板
１５    端子台
１７    配線
２０    貫通孔
２３    スイッチ（操作部）
【図１】
2008261574.tif 000003
【図２】
2008261574.tif 000004
【図３】
2008261574.tif 000005
【図４】
2008261574.tif 000006
【図５】
2008261574.tif 000007
【図６】
2008261574.tif 000008
【図７】
2008261574.tif 000009